(57)【要約】【課題】移動体端末装置を夫々所持する複数のグループメンバを集合場所へ集合させるシステム及びその方法を提供する。【解決手段】移動体端末装置を夫々所持する複数のグループメンバを集合場所へ案内するグループメンバ集合方法において、該集合場所及び該グループメンバが所持する移動体端末装置を識別するための情報を登録し、該登録された該移動体端末装置を識別するための情報に基づき、該移動体端末装置の現在位置を取得し、該取得された現在位置及び該登録された集合場所に基づき、該集合場所までのルートを特定し、該特定されたルートに基づき、該グループメンバが該集合場所より前に集合する仮集合場所及び該仮集合場所へ集合する仮集合時刻を特定し、該仮集合場所及び該仮集合時刻を該移動体端末装置へ配信する。【選択図】図１
2013224837.tif 000002
【特許請求の範囲】
【請求項１】
複数のグループメンバを集合場所へ案内するシステムであって、該システムは前記複数のグループメンバが夫々所持する移動体端末装置とサーバ装置とを備え、
前記移動体端末装置は、
前記集合場所を登録する集合場所登録部と、
前記グループメンバが所持する移動体端末装置を識別するための情報を登録する識別情報登録部と、を備え、
前記サーバ装置は、
前記識別情報登録部で登録された前記移動体端末装置を識別するための情報に基づき、前記移動体端末装置の現在位置を取得する現在位置取得部と、
前記取得された現在位置及び前記登録された集合場所に基づき、前記集合場所までのルートを特定するルート特定部と、
前記特定されたルートに基づき、前記グループメンバが前記集合場所より前に集合する仮集合場所を特定する仮集合場所特定部と、
前記仮集合場所へ集合する仮集合時刻を特定する仮集合時刻特定部と、
前記仮集合場所及び前記仮集合時刻を前記移動体端末装置へ配信する配信部と、
を備えるグループメンバ集合システム。
【請求項２】
前記移動体端末装置は、前記集合場所への集合時刻を登録する集合時刻登録部、を備え、
前記仮集合時刻特定部は、前記登録された集合時刻に基づき、該仮集合時刻を特定し、
前記配信部は、前記仮集合時刻を前記移動体端末装置へ配信する、
請求項１に記載のグループメンバ集合システム。
【請求項３】
前記ルート特定部は、前記集合場所から最も離れた移動体端末装置の現在位置から前記集合場所までのルートであって、最短時間で到着可能なルートを特定する、
請求項１又は２に記載のグループメンバ集合システム。
【請求項４】
移動体端末装置を夫々所持する複数のグループメンバを集合場所へ案内するシステムにおいて用いられるサーバ装置であって、
前記移動体端末装置を識別するための情報に基づき、前記移動体端末装置の現在位置を取得する現在位置取得部と、
前記取得された現在位置に基づき、前記集合場所までのルートを特定するルート特定部と、
前記特定されたルートに基づき、前記グループメンバが前記集合場所より前に集合する仮集合場所を特定する仮集合場所特定部と、
前記仮集合場所へ集合する仮集合時刻を特定する仮集合時刻特定部と、
前記仮集合場所及び前記仮集合時刻を前記移動体端末装置へ配信する配信部と、
を備えるサーバ装置。
【請求項５】
移動体端末装置を夫々所持する複数のグループメンバを集合場所へ案内するグループメンバ集合方法において、
集合場所登録部が、前記集合場所を登録する集合場所登録ステップと、
識別情報登録部が、前記グループメンバが所持する移動体端末装置を識別するための情報を登録する識別情報登録ステップと、
現在位置取得部が、前記識別情報登録ステップで登録された前記移動体端末装置を識別するための情報に基づき、前記移動体端末装置の現在位置を取得する現在位置取得ステップと、
ルート特定部が、前記取得された現在位置及び前記登録された集合場所に基づき、前記集合場所までのルートを特定するルート特定ステップと、
仮集合場所特定部が、前記特定されたルートに基づき、前記グループメンバが前記集合場所より前に集合する仮集合場所を特定する仮集合場所特定ステップと、
仮集合時刻特定部が、前記仮集合場所へ集合する仮集合時刻を特定する仮集合時刻特定ステップと、
配信部が、前記仮集合場所及び前記仮集合時刻を前記移動体端末装置へ配信する配信ステップと、
を備えるグループメンバ集合方法。
【請求項６】
集合時刻登録部が、前記集合場所への集合時刻を登録する集合時刻登録ステップ、を備え、
前記仮集合時刻特定ステップは、前記登録された集合時刻に基づき、該仮集合時刻を特定し、
前記配信ステップは、前記仮集合時刻を前記移動体端末装置へ配信する、
請求項５に記載のグループメンバ集合方法。
【請求項７】
前記ルート特定ステップは、前記集合場所から最も離れた移動体端末装置の現在位置から前記集合場所までのルートであって、最短時間で到着可能なルートを特定する、
請求項５又は６に記載のグループメンバ集合方法。
【請求項８】
移動体端末装置を夫々所持する複数のグループメンバを集合場所へ案内する案内方法において、
現在位置取得部が、前記移動体端末装置を識別するための情報に基づき、前記移動体端末装置の現在位置を取得する現在位置取得ステップと、
ルート特定部が、前記取得された現在位置に基づき、前記集合場所までのルートを特定するルート特定ステップと、
仮集合場所特定部が、前記特定されたルートに基づき、前記グループメンバが前記集合場所より前に集合する仮集合場所を特定する仮集合場所特定ステップと、
仮集合時刻特定部が、前記仮集合場所へ集合する仮集合時刻を特定する仮集合時刻特定ステップと、
配信部が、前記仮集合場所及び前記仮集合時刻を前記移動体端末装置へ配信する配信ステップと、
を備える案内方法。
【請求項９】
移動体端末装置を夫々所持する複数のグループメンバを集合場所へ案内するためのコンピュータプログラムであって、コンピュータを、
前記集合場所を登録する集合場所登録手段と、
前記グループメンバが所持する移動体端末装置を識別するための情報を登録する識別情報登録手段と、
前記識別情報登録ステップで登録された前記移動体端末装置を識別するための情報に基づき、前記移動体端末装置の現在位置を取得する現在位置取得手段と、
前記取得された現在位置及び前記登録された集合場所に基づき、前記集合場所までのルートを特定するルート特定手段と、
前記特定されたルートに基づき、前記グループメンバが前記集合場所より前に集合する仮集合場所を特定する仮集合場所特定手段と、
前記仮集合場所へ集合する仮集合時刻を特定する仮集合時刻特定手段と、
前記仮集合場所及び前記仮集合時刻を前記移動体端末装置へ配信する配信手段、
として機能させるコンピュータプログラム。
【請求項１０】
前記コンピュータを、更に、
前記集合場所への集合時刻を登録する集合時刻登録手段、として機能させ、
前記仮集合時刻特定手段は、前記登録された集合時刻に基づき、該仮集合時刻を特定し、
前記配信手段は、前記仮集合時刻を前記移動体端末装置へ配信する、
請求項９に記載のコンピュータプログラム。
【請求項１１】
前記ルート特定手段は、前記集合場所から最も離れた移動体端末装置の現在位置から前記集合場所までのルートであって、最短時間で到着可能なルートを特定する、
請求項９又は１０に記載のコンピュータプログラム。
【請求項１２】
移動体端末装置を夫々所持する複数のグループメンバを集合場所へ案内するためのコンピュータプログラムであって、コンピュータを、
前記移動体端末装置を識別するための情報に基づき、前記移動体端末装置の現在位置を取得する現在位置取得手段と、
前記取得された現在位置に基づき、前記集合場所までのルートを特定するルート特定手段と、
前記特定されたルートに基づき、前記グループメンバが前記集合場所より前に集合する仮集合場所を特定する仮集合場所特定手段と、
前記仮集合場所へ集合する仮集合時刻を特定する仮集合時刻特定手段と、
前記仮集合場所及び前記仮集合時刻を前記移動体端末装置へ配信する配信手段、
として機能させるコンピュータプログラム。
【請求項１３】
請求項９〜１２のいずれかに記載のコンピュータプログラムを記録する記録媒体。
【発明の詳細な説明】
【技術分野】
【０００１】
本発明は、複数のグループメンバを集合場所へ集合させるシステム及びその方法に関する。
【背景技術】
【０００２】
近年、スマートフォン等の移動体端末装置の普及と相まって、当該装置に適用されるアプリケーションの開発も広く行われている。
スマートフォンに適用可能なアプリケーションとして、例えば、複数のナビゲーション装置のユーザが共通の目的地を設定するにあたり、各メンバーの現在位置を勘案した目的地の設定が可能な技術が開示されている（特許文献１）。
本件発明に関連する従来技術を開示する特許文献２及び３も参照されたい。
【先行技術文献】
【特許文献】
【０００３】
【特許文献１】特開２００５−１４７８５８号公報
【特許文献２】特開２００４−１２５４８３号公報
【特許文献３】特開２００９−２０４４１７号公報
【発明の概要】
【発明が解決しようとする課題】
【０００４】
しかしながら、本発明者らは、単に複数のユーザを夫々集合場所（目的地）に集合させる方法によれば、当該集合場所までのルートにおいてはユーザの単独移動となるため、他ユーザとの移動を楽しみたいユーザや、時間にルーズなユーザ、地理感の乏しいユーザにとって好ましくないと考えた。そこで、本発明者らは、このようなユーザにも対応した集合場所への集合システムについて鋭意検討を重ねてきた。その結果、グループを構成するメンバの現在位置に基づき、予めグループメンバの一部を集合させる仮集合場所を特定し、当該仮集合場所での集合を繰り返すことにより、上記課題を解決できることに想到した。
【課題を解決するための手段】
【０００５】
この発明は上述の課題に鑑みてなされたものであり、その第１の局面は次のように規定される。即ち、
複数のグループメンバを集合場所へ案内するシステムであって、該システムは前記複数のグループメンバが夫々所持する移動体端末装置とサーバ装置とを備え、
前記移動体端末装置は、
前記集合場所を登録する集合場所登録部と、
前記グループメンバが所持する移動体端末装置を識別するための情報を登録する識別情報登録部と、を備え、
前記サーバ装置は、
前記識別情報登録部で登録された前記移動体端末装置を識別するための情報に基づき、前記移動体端末装置の現在位置を取得する現在位置取得部と、
前記取得された現在位置及び前記登録された集合場所に基づき、前記集合場所までのルートを特定するルート特定部と、
前記特定されたルートに基づき、前記グループメンバが前記集合場所より前に集合する仮集合場所を特定する仮集合場所特定部と、
前記仮集合場所へ集合する仮集合時刻を特定する仮集合時刻特定部と、
前記仮集合場所及び前記仮集合時刻を前記移動体端末装置へ配信する配信部と、
を備えるグループメンバ集合システム。
【０００６】
このように規定される第１の局面のグループメンバ集合システムによれば、移動体端末装置により登録された集合場所及び登録されたグループメンバの現在位置に基づき、該集合場所までのルートを特定し、さらに当該ルートに基づいて上記グループメンバが予め集合する仮集合場所及び仮集合時刻を特定し、配信する。このようなグループメンバ集合システムによれば、例えば、現在位置の近いグループメンバを仮集合させ、当該仮集合を繰り返しながら集合場所へ移動することとなるため、集合場所への移動時間を他ユーザと共にすることができる。
ここで、「集合場所」はグループメンバ全員が集合するための集合場所であり、「仮集合場所」は、当該集合場所に集合する前に集合するためにグループメンバの一部に対して設定される集合場所である。
上記ルート特定部は、前記集合場所から最も離れた移動体端末装置の現在位置から前記集合場所までのルートであって、最短時間で到着可能なルートを特定することとできる（第３の局面）。
【０００７】
この発明の第２の局面は次のように規定される。即ち、
第１の局面に規定のグループメンバ集合システムにおいて、前記移動体端末装置は、前記集合場所への集合時刻を登録する集合時刻登録部、を備え、
前記仮集合時刻特定部は、前記登録された集合時刻に基づき、該仮集合時刻を特定し、
前記配信部は、前記仮集合時刻を前記移動体端末装置へ配信する。
このように規定される第２の局面のグループメンバ集合システムによれば、集合場所とともに集合場所への集合時刻を登録するため、当該集合時刻に合わせた仮集合場所及び仮集合時刻を特定することが可能となる。
【０００８】
この発明の第４の局面は次のように規定される。即ち、
移動体端末装置を夫々所持する複数のグループメンバを集合場所へ案内するシステムにおいて用いられるサーバ装置であって、
前記移動体端末装置を識別するための情報に基づき、前記移動体端末装置の現在位置を取得する現在位置取得部と、
前記取得された現在位置に基づき、前記集合場所までのルートを特定するルート特定部と、
前記特定されたルートに基づき、前記グループメンバが前記集合場所より前に集合する仮集合場所を特定する仮集合場所特定部と、
前記仮集合場所へ集合する仮集合時刻を特定する仮集合時刻特定部と、
前記仮集合場所及び前記仮集合時刻を前記移動体端末装置へ配信する配信部と、
を備えるサーバ装置。
このように規定される第４の局面のサーバ装置によれば、第１の局面と同等の効果を奏する。
【０００９】
また、この発明の第５の局面は次のように規定される。即ち、
移動体端末装置を夫々所持する複数のグループメンバを集合場所へ案内するグループメンバ集合方法において、
集合場所登録部が、前記集合場所を登録する集合場所登録ステップと、
識別情報登録部が、前記グループメンバが所持する移動体端末装置を識別するための情報を登録する識別情報登録ステップと、
現在位置取得部が、前記識別情報登録ステップで登録された前記移動体端末装置を識別するための情報に基づき、前記移動体端末装置の現在位置を取得する現在位置取得ステップと、
ルート特定部が、前記取得された現在位置及び前記登録された集合場所に基づき、前記集合場所までのルートを特定するルート特定ステップと、
仮集合場所特定部が、前記特定されたルートに基づき、前記グループメンバが前記集合場所より前に集合する仮集合場所を特定する仮集合場所特定ステップと、
仮集合時刻特定部が、前記仮集合場所へ集合する仮集合時刻を特定する仮集合時刻特定ステップと、
配信部が、前記仮集合場所及び前記仮集合時刻を前記移動体端末装置へ配信する配信ステップと、
を備えるグループメンバ集合方法。
このように規定される第５の局面の発明によれば、第１の局面と同等の効果を奏する。
【００１０】
この発明の第６の局面は次のように規定される。即ち、
第５の局面に規定の方法において、集合時刻登録部が、前記集合場所への集合時刻を登録する集合時刻登録ステップ、を備え、
前記仮集合時刻特定ステップは、前記登録された集合時刻に基づき、該仮集合時刻を特定し、
前記配信ステップは、前記仮集合時刻を前記移動体端末装置へ配信する。
このように規定される第６の局面の発明によれば、第２の局面と同等の効果を奏する。
【００１１】
この発明の第７の局面は次のように規定される。即ち、
第５又は第６の局面に規定の方法において、前記ルート特定ステップは、前記集合場所から最も離れた移動体端末装置の現在位置から前記集合場所までのルートであって、最短時間で到着可能なルートを特定する。
このように規定される第７の局面の発明によれば、第３の局面と同等の効果を奏する。
【００１２】
この発明の第８の局面は次のように規定される。即ち、
移動体端末装置を夫々所持する複数のグループメンバを集合場所へ案内する案内方法において、
現在位置取得部が、前記移動体端末装置を識別するための情報に基づき、前記移動体端末装置の現在位置を取得する現在位置取得ステップと、
ルート特定部が、前記取得された現在位置に基づき、前記集合場所までのルートを特定するルート特定ステップと、
仮集合場所特定部が、前記特定されたルートに基づき、前記グループメンバが前記集合場所より前に集合する仮集合場所を特定する仮集合場所特定ステップと、
仮集合時刻特定部が、前記仮集合場所へ集合する仮集合時刻を特定する仮集合時刻特定ステップと、
配信部が、前記仮集合場所及び前記仮集合時刻を前記移動体端末装置へ配信する配信ステップと、
を備える案内方法。
このように規定される第８の局面の発明によれば、第４の局面と同等の効果を奏する。
【００１３】
更に、この発明の第９の局面は次のように規定される。即ち、
移動体端末装置を夫々所持する複数のグループメンバを集合場所へ案内するためのコンピュータプログラムであって、コンピュータを、
前記集合場所を登録する集合場所登録手段と、
前記グループメンバが所持する移動体端末装置を識別するための情報を登録する識別情報登録手段と、
前記識別情報登録ステップで登録された前記移動体端末装置を識別するための情報に基づき、前記移動体端末装置の現在位置を取得する現在位置取得手段と、
前記取得された現在位置及び前記登録された集合場所に基づき、前記集合場所までのルートを特定するルート特定手段と、
前記特定されたルートに基づき、前記グループメンバが前記集合場所より前に集合する仮集合場所を特定する仮集合場所特定手段と、
前記仮集合場所へ集合する仮集合時刻を特定する仮集合時刻特定手段と、
前記仮集合場所及び前記仮集合時刻を前記移動体端末装置へ配信する配信手段、
として機能させるコンピュータプログラム。
このように規定される第９の局面の発明によれば、第１の局面と同等の効果を奏する。
【００１４】
この発明の第１０の局面は次のように規定される。即ち、
第９の局面に規定のコンピュータプログラムにおいて、前記コンピュータを、更に、
前記集合場所への集合時刻を登録する集合時刻登録手段、として機能させ、
前記仮集合時刻特定手段は、前記登録された集合時刻に基づき、該仮集合時刻を特定し、
前記配信手段は、前記仮集合時刻を前記移動体端末装置へ配信する。
このように規定される第１０の局面の発明によれば、第２の局面と同等の効果を奏する。
【００１５】
この発明の第１１の局面は次のように規定される。即ち、
第９又は第１０に規定のコンピュータプログラムにおいて、前記ルート特定手段は、前記集合場所から最も離れた移動体端末装置の現在位置から前記集合場所までのルートであって、最短時間で到着可能なルートを特定する。
このように規定される第１１の局面の発明によれば、第３の局面と同等の効果を奏する。
【００１６】
この発明の第１２の局面は次のように規定される。即ち、
移動体端末装置を夫々所持する複数のグループメンバを集合場所へ案内するためのコンピュータプログラムであって、コンピュータを、
前記移動体端末装置を識別するための情報に基づき、前記移動体端末装置の現在位置を取得する現在位置取得手段と、
前記取得された現在位置に基づき、前記集合場所までのルートを特定するルート特定手段と、
前記特定されたルートに基づき、前記グループメンバが前記集合場所より前に集合する仮集合場所を特定する仮集合場所特定手段と、
前記仮集合場所へ集合する仮集合時刻を特定する仮集合時刻特定手段と、
前記仮集合場所及び前記仮集合時刻を前記移動体端末装置へ配信する配信手段、
として機能させるコンピュータプログラム。
このように規定される第１２の局面の発明によれば、第４の局面と同等の効果を奏する。
【００１７】
第９〜第１２のいずれかの局面に規定されるコンピュータプログラムを記録する記録媒体が第１３の局面として規定される。
【図面の簡単な説明】
【００１８】
【図１】本発明の実施の形態のグループメンバ集合システム１の構成を示すブロック図である。
【図２】本発明の実施の形態のグループメンバ集合システム１の動作の一例を示すフローチャートである。
【図３】本発明のシステム１におけるルート、仮集合場所及び仮集合時刻の特定方法を説明する模式図である。
【図４】ステップ２５の詳細動作を示すフローチャートである。
【図５】本発明の実施例のグループメンバ集合システム５１の構成を示すブロック図である。
【図６】本発明のシステム５１におけるルート、仮集合場所及び仮集合時刻の特定方法を説明する模式図である。
【発明を実施するための形態】
【００１９】
この発明の実施の形態のグループメンバ集合システムを説明する。
図１に、グループメンバ集合システム１の概略構成を示す。
図１に示すように、このグループメンバ集合システム１は、第１の移動体端末装置２、第２〜第ｎの移動体端末装置（Ｍ２〜Ｍｎ）及びサーバ装置３を備えており、各移動体端末装置とサーバ装置とはネットワークＮを介して夫々無線接続されている。
【００２０】
第１の移動体端末装置２は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置等が挙げられる。特に、スマートフォンが好適である。
第１の移動体端末装置２は、入力部２１、出力部２２、集合場所登録部２３、識別情報登録部２４及び端末側通信部２５を備える。
入力部２１は、後述する集合場所に関する情報及び移動体端末装置を識別するための情報等の各種の情報を入力するために用いられる。入力部２１として、マウス、ライトペン又はディスプレイの表示内容と協働するタッチパネル等のポインティングデバイスやキーボード又はマイクロホン等の音声入力装置を用いることができる。
出力部２２は、ディスプレイを含み、入力画面や後述するルート情報、仮集合場所、仮集合時刻等、その他の情報を表示する。この出力部２２は、音声発信部を含むこともできる。
集合場所登録部２３は、入力部２１を介して集合場所に関する情報を登録する。当該集合場所に関する情報は、集合場所の座標、住所、あるいは、施設等を直接入力することにより登録することとできる。また、他の例としては、画面に表示された地図上において集合場所をタップすることにより登録することとしても良い。
【００２１】
識別情報登録部２４は、入力部２１を介してグループメンバが所持する移動体端末装置を識別するための情報（以下、ユーザ識別情報ともいう）を登録する。当該移動体端末装置を識別するための情報としては、特に限定されないが、当該移動体端末装置に対応するユーザＩＤや電子メールアドレス等が挙げられる。当該登録されたユーザＩＤや電子メールアドレスに対応する移動体端末装置が一のグループを構成するグループメンバとして取り扱われることとなる。
端末側通信部２５は、各種情報をサーバ装置３へ送信する送信部と、各種情報をサーバ装置３から受信する受信部とを備える。当該端末側通信部２５が送信する情報としては、例えば、上記入力部２１で入力された情報や上記集合場所登録部２３で登録された集合場所に関する情報、識別情報登録部２４で登録されたユーザ識別情報等が挙げられる。また、当該端末側通信部２５が受信する情報としては、例えば、後述する現在位置から集合場所までのルートや、仮集合場所、仮集合時刻に関する情報等が挙げられる。
なお、第１の移動体端末装置Ｍ１の構成について説明してきたが、他の移動体端末装置Ｍ２、…、Ｍｎについても、Ｍ１と同様の構成を備えることとできる。
【００２２】
サーバ装置３は、端末側通信部２５から送信された、上記集合場所に関する情報や、上記ユーザ識別情報等を管理し、当該情報を利用して各グループメンバに適合した仮集合場所及び仮集合時刻を特定し、グループメンバ夫々の移動体端末装置に送信する。
サーバ装置３は、サーバ側通信部３１、第１保存部３２、地図データ保存部３３、現在位置取得部３４、ルート特定部３５、第２保存部３６、仮集合場所特定部３７、仮集合時刻特定部３８及び第３保存部３９を備える。
サーバ側通信部３１には、各種情報を移動体端末装置Ｍ１〜Ｍｎから受信する受信部と、各種情報を移動体端末装置Ｍ１〜Ｍｎへ送信する送信部とを備え、上記入力部２１で入力された情報や上記登録部２３、２４で登録された集合場所に関する情報及びユーザ識別情報等を受信する。
サーバ側通信部３１には、配信部４１が備えられ、後述する現在位置から集合場所までのルートや、仮集合場所、仮集合時刻に関する情報を送信する。上記第１の移動体端末装置２から受信した各種情報は、該第１の移動体端末装置２のユーザＩＤに関連付けて第１保存部３２に保存される。
【００２３】
地図データ保存部３３には地図情報が保存される。地図情報にはリンクやノードなど地図情報を規定するための道路要素に関する情報と地図に描画される情報等が含まれる。
現在位置取得部３４は、上記識別情報登録部２４で登録された各ユーザ識別情報に基づき、各移動体端末装置の現在位置を取得する。すなわち、各移動体端末装置に備えられたＧＰＳ機能等により、各移動体端末装置の現在の位置情報と時刻情報とを取得する。当該位置情報及び時刻情報は、ユーザ自身が位置登録することにより、あるいは、自動的に（例えば、１秒間隔等）取得されることとしても良い。
ルート特定部３５は、上記現在位置取得部３４で取得された各移動体端末装置の現在位置と、上記集合場所登録部２３で登録された集合場所に基づき、当該集合場所までのルートを特定する。当該ルートの特定方法としては、特に限定されないが、例えば、各移動体端末装置の現在位置に関する情報に基づき、上記登録された集合場所から最も離れた移動体端末装置の現在位置から上記集合場所までのルートを特定することとできる。当該ルートは、最短時間で集合場所に到着可能なルートであることが好ましい。また、当該ルート特定部３５は、一のルートを特定しても良く、また二以上のルートを特定することとしても良い。当該特定されたルートは、ユーザ識別情報と関連付けて第２保存部３６に保存される。
【００２４】
仮集合場所特定部３７は、現在位置取得部３４を参照し、上記ルート特定部３５で特定されたルートに基づいて、上記グループメンバが上記集合場所より前に集合する仮集合場所を特定する。当該仮集合場所の特定方法としては、例えば、上記特定されたルート上の地点とすることとできる。また、当該仮集合場所としては、単に座標で示される地点であっても良く、施設、店舗、公園、駅等であっても良い。別の例として、上記移動体端末装置の現在位置を仮集合場所としても良い。特定される仮集合場所の数は、一であっても良く、二以上であっても良い。当該仮集合場所を移動体端末装置ごとに特定する場合には、上記ルート上の地点であって、各移動体端末装置の現在位置から最も近い地点とすることとできる。また、上記現在位置が所定範囲内に存在する移動体端末装置を一の仮集合場所に仮集合させるべく、仮集合場所を特定することとしても良い。当該特定された仮集合場所は、ユーザ識別情報と関連付けて後述する仮集合時刻特定部３８へ送られる。
仮集合時刻特定部３８は、上記仮集合場所特定部３７で特定された仮集合場所へ集合する仮集合時刻を特定する。すなわち、上記特定された仮集合場所の数に対応する仮集合時刻が特定されることとなる。当該仮集合時刻の特定方法としては、各移動体端末装置の現在位置から上記特定された仮集合場所までの所要時間を考慮して特定される。当該特定された仮集合時刻は、上記仮集合場所と関連付けて第３保存部３９に保存される。
【００２５】
図２を用いて、図１に示すグループメンバ集合システム１の動作の一例を説明する。適宜、図３に示す模式図を用いて説明する。
まず、ステップ１０では、例えば、グループメンバの代表者等が所持する第１の移動体端末装置（Ｍ１）２に備えられた登録部２３及び２４は、グループメンバの全員が集合するための集合場所（図３中、符号Ｇ）及びグループメンバのユーザ識別情報を登録し、サーバ装置３へ送信する。サーバ装置３は、当該情報を受信し、第１保存部３２に保存する（ステップ２０）。
ステップ２１では、サーバ装置３に備えられた現在位置取得部３４は、ステップ２０で受信したユーザ識別情報に基づき、当該グループメンバとして登録されたユーザの移動体端末装置Ｍ１〜Ｍ５の現在位置（同、符号Ｐ１〜Ｐ５）を取得する。
ステップ２２では、ルート特定部３５は、ステップ２１で取得された移動体端末装置Ｍ１〜Ｍ５の現在位置Ｐ１〜Ｐ５のうち、集合場所Ｇから最も遠い移動体端末装置Ｍ１の現在位置Ｐ１を特定する。次いで、ルート特定部３５は、ステップ２２で特定された移動体端末装置Ｍ１の現在位置Ｐ１から集合場所Ｇまでの最短ルート（同、符号Ｌ）を特定し、保存する（ステップ２３）。当該ルートの特定は、例えば、当該ルートのコストが最も低くなるよう特定することとできる。
【００２６】
ステップ２４では、仮集合場所特定部３７は、ステップ２３で特定されたルートに基づいて、仮集合場所を特定する。当該仮集合場所は、例えば次のように特定できる。まず、移動体端末装置Ｍ１〜Ｍ５の現在位置Ｐ１〜Ｐ５に基づいて、当該現在位置が所定範囲内にあると判断される小グループ（図３中、符号Ａ、Ｂ）を設定する。次に、当該小グループごとに仮集合場所ｇ１、ｇ２を特定する。当該仮集合場所ｇ１、ｇ２は、小グループを構成するグループメンバの集合に適した場所であれば良く、ルートＬ上に位置することとしても良いし、ルートＬ付近の施設、店舗等としても良い。当該仮集合場所ｇ２については、小グループＢを構成する移動体端末装置Ｍ４、Ｍ５の現在位置Ｐ４、Ｐ５に加えて、小グループＡの仮集合場所ｇ１の位置を考慮して特定することとしても良い。
ステップ２５では、仮集合時刻特定部３８は、ステップ２４で特定された仮集合場所ｇ１、ｇ２への仮集合時刻ｔ１、ｔ２を特定し、ステップ２３及び２４で夫々特定されたルート及び仮集合場所と併せて第３保存部３９に保存する。
【００２７】
図４を用いて、ステップ２５の詳細動作の一例を説明する。
ステップ２５１では、小グループＡの移動体端末装置Ｍ１〜Ｍ３の夫々について仮集合場所ｇ１までの所要時間ＴＭ１〜ＴＭ３を算出する。
ステップ２５２では、ステップ２５１で算出された所要時間ＴＭ１〜ＴＭ３のうち、最も大きい所要時間を特定する（例えば、ＴＭ１とする）。
ステップ２５３では、現在時刻ｔ０に、ステップ２５２で特定された所要時間ＴＭ１を加算して仮集合時刻ｔ１を特定する。
ステップ２５４では、小グループＢの移動体端末装置Ｍ４、Ｍ５の夫々について仮集合場所ｇ２までの所要時間ＴＭ４、ＴＭ５を算出する。
ステップ２５５では、小グループＡが仮集合場所ｇ２に到着するのに要する所要時間を算出する。すなわち、ステップ２５５では、ステップ２５２で特定された所要時間ＴＭ１に、小グループＡが仮集合場所ｇ１から仮集合場所ｇ２に到着するのに要する所要時間ＴＡを加えて、小グループＡの仮集合場所ｇ２への所要時間を算出する。
ステップ２５６では、ステップ２５４及びステップ２５５で算出された所要時間のうち、最も大きい所要時間を特定する（例えば、ＴＭ１＋ＴＡとする）。
ステップ２５７では、現在時刻ｔ０に、ステップ２５６で特定された所要時間（ＴＭ１＋ＴＡ）を加算して仮集合時刻ｔ２を特定し、保存する。
【００２８】
図２に戻り、ステップ２５で保存されたルート、集合場所、仮集合場所及び仮集合時刻に関する情報は、通信部３１内配信部４１を介して移動体端末装置Ｍ１〜Ｍ５へ配信される（ステップ２６）。例えば、移動体端末装置Ｍ１〜Ｍ３には、上記ルートＬ、集合場所Ｇ、仮集合場所ｇ１、ｇ２及び仮集合時刻ｔ１、ｔ２が配信され、移動体端末装置Ｍ４及びＭ５には、上記ルートＬ、集合場所Ｇ、仮集合場所ｇ２及び仮集合時刻ｔ２を配信することとできる。他にも、各移動体端末装置から特定された仮集合場所までのルートや、集合場所への予定到着時刻、各移動体端末装置の現在位置から仮集合場所までの所要時間、仮集合時刻までの時間から当該所要時間を差し引いた余裕時間を配信することしても良い。当該余裕時間がある場合には、当該余裕時間と併せて、当該余裕時間に利用可能な広告やクーポン等を配信しても良い。
移動体端末装置Ｍ１〜Ｍ５は、上記情報を受信し、出力部２２により当該情報を表示等する（ステップ１１、３０）。
【００２９】
図５に、実施例のグループメンバ集合システム５１の機能ブロック図を示す。図５において、図１と同一の要素には同一の符号を付して、その説明を部分的に省略する。
図５に示すグループメンバ集合システム５１は、ユーザ側とサーバ装置側とで構成されるシステムであり、集合場所への集合時刻に併せてグループメンバを集合可能なグループメンバ集合システム５１である。すなわち、当該システム５１は、図１に示すシステム１のユーザ側である移動体端末装置５１０において、制御部５１１、メモリ部５１２、インターフェース部５１３、集合時刻登録部５１４を更に備え、サーバ装置５５０において、制御部５５１、メモリ部５５２、インターフェース部５５３を更に備え、仮集合時刻特定部３８に代えて仮集合時刻特定部５５６を備えている。
【００３０】
第１の移動体端末装置５１０の制御部５１１はＣＰＵ、バッファメモリその他の装置を備えたコンピュータ装置であり、第１の移動体端末装置Ｍ１を構成する他の要素を制御する。
メモリ部５１２にはコンピュータプログラムが保存され、このコンピュータプログラムはコンピュータ装置である制御部５１１に読み込まれて、これを機能させる。このコンピュータプログラムは、移動体端末装置の記憶装置としての内蔵ハードディスク又は内蔵メモリ、移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
インターフェース部５１３は第１の移動体端末装置５１０を無線ネットワーク等へ連結させる。
集合時刻登録部５１４は、入力部２１を介して集合時刻に関する情報を登録する。当該登録された集合時刻も通信部２５を介して、サーバ装置５５０へ送信される。
【００３１】
サーバ装置５５０の制御部５５１はＣＰＵ、バッファメモリその他の装置を備えたコンピュータ装置であり、サーバ装置５５０を構成する他の要素を制御する。
メモリ部５５２にはコンピュータプログラムが保存され、このコンピュータプログラムはコンピュータ装置である制御部５５１に読み込まれて、これを機能させる。このコンピュータプログラムは、サーバ装置の記憶装置としての内蔵ハードディスク又は内蔵メモリ、サーバ装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
インターフェース部５５３はサーバ装置５５０を無線ネットワーク等へ連結させる。
仮集合時刻特定部５５６は、第１の移動体端末装置５１０から受信した集合時刻に基づいて、当該集合時刻に集合可能な仮集合時刻を特定する。
【００３２】
図６に示す模式図を用いて、上記グループメンバ集合システム５１の動作の一例を説明する。
まず、グループメンバの代表者等が所持する第１の移動体端末装置（Ｍ１）２に備えられた集合場所登録部２３、識別情報登録部２４及び集合時刻登録部５１４により集合場所Ｇ、グループメンバを構成するユーザ識別情報及び集合時刻ＴＧ（例えば、１６：００）が登録され、サーバ装置５５０へ送信される。
現在位置取得部３４は、上記ユーザ識別情報に基づき、グループメンバが所持する移動体端末装置Ｍ１〜Ｍ５の現在位置Ｐ１〜Ｐ５を取得する。ルート特定部３５は、現在位置Ｐ１〜Ｐ５を参照し、集合場所Ｇまでのルートであって、集合時刻１６：００までに到達可能なルートを特定する。図６に示す模式図の場合には、集合場所Ｇまでの距離が大きい移動体端末装置Ｍ１及びＭ４の現在位置Ｐ１及びＰ４を参照して、ルートＬ１及びＬ２を特定することができる。仮集合場所特定部３７は、ルートＬ１上の仮集合場所ｇ１、ｇ２、及びルートＬ２上の仮集合場所ｇ３を夫々特定する。ｇ１はＭ１及びＭ２の仮集合場所であり、ｇ２はＭ１〜Ｍ３の仮集合場所であり、ｇ３はＭ４及びＭ５の仮集合場所である。
【００３３】
次に、仮集合時刻特定部５５６は、上記仮集合場所ｇ１〜ｇ３における仮集合時刻ｔ１〜ｔ３を夫々特定する。当該仮集合時刻の特定方法は、例えば次のように行うことができる。まず、登録された集合時刻は１６：００であり、仮集合場所ｇ２から集合場所Ｇまで所要時間ＴＢ（３０ｍｉｎ．）を要することから、仮集合場所ｇ２における仮集合時刻ｔ２は１５：３０と特定される。同様にして、仮集合時刻ｔ３は、仮集合場所ｇ３から集合場所Ｇまで所要時間ＴＣ（５０ｍｉｎ．）を要することから、１５：１０と特定される。仮集合時刻ｔ１は、仮集合場所ｇ２への仮集合時刻ｔ２が１５：３０であり、仮集合場所ｇ１から仮集合場所ｇ２まで所要時間ＴＡ（６０ｍｉｎ．）を要することから、仮集合場所ｇ１における仮集合時刻ｔ１は１４：３０と特定される。このように仮集合時刻を特定した場合には、当該仮集合場所を出発する出発時刻は仮集合時刻と同一時刻となる。
【００３４】
一方、上記仮集合時刻は、次のようにして特定することも可能である。すなわち、上記と同様に集合時刻が１６：００であっても、現在時刻が１１：００の場合には、当該現在時刻とｇ１までのＭ１及びＭ２の所要時間とに基づき、最短で仮集合可能な１１：５０を仮集合時刻ｔ１と特定しても良い。この場合、ｇ１から集合場所Ｇまでに最低限必要な所要時間は、ｇ１からｇ２までの所要時間６０ｍｉｎ．にｇ２からＧまでの所要時間３０ｍｉｎ．を加えた９０ｍｉｎ．であるため、集合時刻１６：００から当該所要時間９０ｍｉｎ．を差し引いた時刻１４：３０を仮集合場所ｇ１の出発時刻として特定できる。
上記特定された情報は、適宜、移動体端末装置Ｍ１〜Ｍ５へ配信される。例えば、Ｍ１には、集合場所Ｇ、集合時刻ＴＧ、仮集合場所ｇ１、ｇ２、仮集合時刻ｔ１、ｔ２、仮集合場所ｇ１で集合するＭ２のユーザ識別情報及びｇ２で集合するＭ３のユーザ識別情報が配信される。
【００３５】
上記システム５１は、図示しない出発時刻特定部を備えていても良い。当該出発時刻特定部は、各移動体端末装置の現在位置と仮集合場所までの所要時間とに基づき、特定することができる。例えば、Ｍ１においては、仮集合時刻ｔ１は１４：３０であり、現在位置Ｐ１から仮集合場所ｇ１まで所要時間ＴＭ１（５０ｍｉｎ．）を要するため、出発時刻１３：４０と特定される。Ｍ２〜Ｍ５についても同様に出発時刻を特定できる。
この発明のグループメンバ集合システムは、グループメンバが徒歩移動する場合に限られず、車両、公共交通機関等による移動の場合にも利用することができる。
【００３６】
以上、本発明の実施の形態について説明してきたが、これらのうち、２つ以上の実施の形態を組み合わせて実施しても構わない。あるいは、これらのうち、１つの実施の形態を部分的に実施しても構わない。さらには、これらのうち、２つ以上の実施の形態を部分的に組み合わせて実施しても構わない。
【００３７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３８】
１  ５１  グループメンバ集合システム
２  ５１０  移動体端末装置
３  ５５０  サーバ装置
２３  集合場所登録部
２４  識別情報登録部
３４  現在位置取得部
３５  ルート特定部
３７  仮集合場所特定部
３８  ５５６  仮集合時刻特定部
５１４  集合時刻特定部
【図１】
2013224837.tif 000003
【図２】
2013224837.tif 000004
【図３】
2013224837.tif 000005
【図４】
2013224837.tif 000006
【図５】
2013224837.tif 000007
【図６】
2013224837.tif 000008